(57)【要約】【課題】ユーザの意図しない放送番組が自動的に削除される可能性を低減した録画装置を提供する。【解決手段】本発明に係るテレビ１は、ＨＤドライブ１２１に録画されたコンテンツに対して、該コンテンツを削除する削除日時を設定する削除日時設定部５１と、削除日時設定部５１により設定された削除日時にコンテンツをＨＤドライブ１２１から削除する自動削除制御部５４と、削除日時設定部５１により設定された削除日時、又は、該削除日時までの残り期間とコンテンツのタイトルとを関連付けてＬＣＤ１１０に表示するＵＩ制御部５２と、を備えている。【選択図】図１
2012074853.tif 000002
【特許請求の範囲】
【請求項１】
記憶部に録画されたコンテンツに対して、該コンテンツを削除する削除日時を設定する設定手段と、
上記設定手段により設定された削除日時に上記コンテンツを上記記憶部から削除する削除手段と、
上記設定手段により設定された削除日時、又は、該削除日時までの残り期間と上記コンテンツのタイトルとを関連付けて表示部に表示する表示手段と、を備えている
ことを特徴とする録画装置。
【請求項２】
上記コンテンツを上記記憶部に録画する録画手段であって、ユーザの指定によらずに上記コンテンツを放送予定のコンテンツの中から選択する録画手段を更に備えている
ことを特徴とする請求項１に記載の録画装置。
【請求項３】
上記設定手段は、上記コンテンツを削除する削除日時を、ユーザにより指定された値に設定する、
ことを特徴とする請求項２に記載の録画装置。
【請求項４】
上記設定手段は、上記記憶部の空き容量が所定の値よりも小さくなったときに、上記コンテンツを削除する削除日時を、上記録画手段により次のコンテンツの録画が開始される時点よりも前の日時に再設定する、
ことを特徴とする請求項２又は３に記載の録画装置。
【請求項５】
上記表示手段は、上記コンテンツのタイトルがユーザによって選択されたときに、上記設定手段により上記コンテンツに対して設定された削除日時、又は、該削除日時までの残り期間を表示する、
ことを特徴とする請求項２から４までの何れか１項に記載の録画装置。
【請求項６】
上記表示手段は、上記コンテンツのタイトルに添えて、上記設定手段により上記コンテンツに対して設定された削除日時、又は、該削除日時までの残り期間を表示する、
ことを特徴とする請求項２から４までの何れか１項に記載の録画装置。
【請求項７】
上記表示手段は、上記録画手段により上記記憶部に録画された各コンテンツを、該コンテンツに対して設定された削除日時、又は、該削除日時までの残り期間に基づいて、複数のグループの何れかに分類し、上記複数のグループの何れかがユーザによって選択されたときに、該グループに属するコンテンツを表示する、
ことを特徴とする請求項２から４までの何れか１項に記載の録画装置。
【請求項８】
上記表示手段は、上記録画手段により上記記憶部に録画された各コンテンツに対して設定された削除日を含むカレンダーを表示し、該カレンダーに含まれる日にちの何れかがユーザによって選択されたときに、選択された日にちに一致する削除日が設定されたコンテンツを表示する、
ことを特徴とする請求項２から４までの何れか１項に記載の録画装置。
【請求項９】
記憶部に録画されたコンテンツに対して、該コンテンツを削除する削除日時を設定する設定ステップと、
上記設定ステップにおいて設定された削除日時に上記コンテンツを上記記憶部から削除する削除ステップと、
上記設定ステップにおいて設定された削除日時、又は、該削除日時までの残り期間と上記コンテンツのタイトルとを関連付けて表示部に表示する表示ステップと、を含んでいる
ことを特徴とする録画装置の録画方法。
【請求項１０】
コンピュータを請求項１から８までの何れか１項に記載の録画装置として動作させるためのプログラムであって、上記コンピュータを上記録画装置の各手段として機能させるプログラム。
【請求項１１】
請求項１０に記載のプログラムを記録したコンピュータ読み取り可能な記録媒体。
【発明の詳細な説明】
【技術分野】
【０００１】
本発明は、放送番組等を録画する録画装置および録画方法に関する。また、そのような録画装置を動作させるためのプログラム、および、そのようなプログラムが記録されている記録媒体に関する。
【背景技術】
【０００２】
近年、ユーザが選択した放送番組を録画する機能以外にも、ユーザの好みに合った放送番組を自動的に録画する機能を備えた録画装置が普及してきている。録画装置がユーザの好みに合った放送番組を自動的に録画することにより、ユーザは、好みに合った放送番組のうち、リアルタイムに視聴しておらず、録画の予約も行っていなかった放送番組を視聴することができる。また、自動的に録画された放送番組は、ＨＤドライブなど、記憶容量の大きい記録媒体に記録されることが一般的になってきている。
【０００３】
このような録画装置では、多くの放送番組がＨＤドライブなどの記録媒体に次々に蓄積されるため、記録容量の消費が速いという問題がある。そこで、記憶容量の空きが一定以下になると、録画された放送番組を自動的に削除する機能を備えた録画装置が提供されている。
【０００４】
しかし、録画された放送番組が自動的に削除される場合、ユーザは何れの放送番組が削除されるのかが分からないため、ユーザの意図しない放送番組が削除されてしまうという問題があった。
【０００５】
このような問題に対し、例えば、特許文献１には、自動的に録画された放送番組に対して保存予定変数（視聴予定回数や編集予定フラッグなど）を初期設定し、記録容量の空きが少なくなった場合に保存予定変数の設定されていない放送番組から優先的に削除する技術が開示されている。
【先行技術文献】
【特許文献】
【０００６】
【特許文献１】特開２００４−２６６４６９号公報（２００４年９月２４日公開）
【発明の概要】
【発明が解決しようとする課題】
【０００７】
しかし、特許文献１に開示されている技術では、放送番組ごとに初期設定した保存予定変数を、ユーザが常に把握していなければならないため、それぞれの放送番組がいつ削除されるかをユーザが容易に把握することができないという問題があった。また、放送番組は初期設定した保存予定変数に応じて決まる条件が満たされると、自動的に削除されてしまうため、ユーザの意図しない放送番組が削除されてしまうという問題があった。
【０００８】
本発明は、上記の課題を解決するためになされたものであり、その主たる目的は、ユーザの意図しない放送番組が自動的に削除される可能性を低減した録画装置を提供することである。
【課題を解決するための手段】
【０００９】
本発明に係る録画装置は、記憶部に録画されたコンテンツに対して、該コンテンツを削除する削除日時を設定する設定手段と、上記設定手段により設定された削除日時に上記コンテンツを上記記憶部から削除する削除手段と、上記設定手段により設定された削除日時、又は、該削除日時までの残り期間と上記コンテンツのタイトルとを関連付けて表示部に表示する表示手段と、を備えていることを特徴としている。
【００１０】
上記の構成によれば、上記コンテンツが削除日時に削除される以前に、上記コンテンツのタイトルと、上記コンテンツに対して設定された削除日時又は該削除日時までの残り期間を表示することができる。これによって、ユーザは、上記コンテンツが削除されるまでの残り期間を容易に把握することができる。したがって、ユーザの意図しないコンテンツが自動的に削除される可能性を低減することができる。
【００１１】
なお、上記削除日時は、削除される日にちのみを設定してもよいし、削除される日にちとその時刻などを詳しく設定してもよい。
【００１２】
本発明に係る録画装置において、上記コンテンツを上記記憶部に録画する録画手段であって、ユーザの指定によらずに上記コンテンツを放送予定のコンテンツの中から選択する録画手段を更に備えていることが好ましい。
【００１３】
ここで、ユーザの指示によって録画されたコンテンツは、ユーザが本当に視聴したいコンテンツであるのに対し、ユーザの指示によらずに放送予定のコンテンツの中から選択されたコンテンツはユーザが本当に視聴したいコンテンツではない可能性がある。
【００１４】
上記の構成によれば、上記ユーザの指示によらずに放送予定のコンテンツの中から選択されたコンテンツに対して、そのコンテンツを削除する削除日時を設定することができる。これによって、上記ユーザの指示によらずに放送予定のコンテンツの中から選択されたコンテンツ、すなわち、ユーザが本当に視聴したいコンテンツではない可能性のあるコンテンツが蓄積されることによって、上記記憶部の空き容量がなくなってしまうことを防ぐことができる。
【００１５】
また、上記表示手段は、上記ユーザの指示によらずに放送予定のコンテンツの中から選択されたコンテンツに対して設定された上記削除日時までの残り期間を表示することができる。したがって、ユーザは、上記ユーザの指示によらずに放送予定のコンテンツの中から選択されたコンテンツが削除されるまでの残り期間を容易に把握することができる。これによって、ユーザは、上記ユーザの指示によらずに放送予定のコンテンツの中から選択されたコンテンツが、本当に視聴したいコンテンツであるとき、該コンテンツが削除されるまでの残り期間の間に、視聴やダビングなどといった操作を行うことができる。
【００１６】
本発明に係る録画装置において、上記設定手段は、上記コンテンツを削除する削除日時を、ユーザにより指定された値に設定することが好ましい。
【００１７】
上記の構成によれば、上記コンテンツに設定される上記削除日時を、ユーザにより指定された値に設定することによって、ユーザが意図しない日時に上記コンテンツが自動的に削除される可能性を、より低減することができる。
【００１８】
本発明に係る録画装置において、上記設定手段は、上記記憶部の空き容量が所定の値よりも小さくなったときに、上記コンテンツを削除する削除日時を、上記録画手段により次のコンテンツの録画が開始される時点よりも前の日時に再設定することが好ましい。
【００１９】
上記の構成によれば、上記記憶部の空き容量が所定の値より小さくなったときに、次のコンテンツの録画が開始されるよりも前に、上記録画手段によって録画されたコンテンツを削除することによって、次のコンテンツの録画に必要な空き容量を確保することができる。これによって、上記記憶部の空き容量が少なくなることで、次のコンテンツの録画が行われなくなってしまうことを防ぐことができる。
【００２０】
本発明に係る録画装置において、上記表示手段は、上記コンテンツのタイトルがユーザによって選択されたときに、上記設定手段により上記コンテンツに対して設定された削除日時、又は、該削除日時までの残り期間を表示することが好ましい。
【００２１】
上記の構成によれば、ユーザが選択した上記コンテンツに対して設定されている上記削除日時、又は、上記削除日時までの残り期間を、ユーザが上記コンテンツを選択した場合にのみ表示することができる。これによって、ユーザは、上記削除日時を確認したい場合に、上記コンテンツを選択することで、容易に上記削除日時を確認することができる。
【００２２】
本発明に係る録画装置において、上記表示手段は、上記コンテンツのタイトルに添えて、上記設定手段により上記コンテンツに対して設定された削除日時、又は、該削除日時までの残り期間を表示することが好ましい。
【００２３】
上記の構成によれば、ユーザは、上記表示手段によって表示された画面見れば、上記コンテンツに対して設定された削除日時、又は、該削除日時までの残り期間を、容易に確認することができる。
【００２４】
本発明に係る録画装置において、上記表示手段は、上記録画手段により上記記憶部に録画された各コンテンツを、該コンテンツに対して設定された削除日時、又は、該削除日時までの残り期間に基づいて、複数のグループの何れかに分類し、上記複数のグループの何れかがユーザによって選択されたときに、該グループに属するコンテンツを表示することが好ましい。
【００２５】
上記の構成によれば、ユーザは、上記録画手段により上記記憶部に録画されたコンテンツのうち、選択されたグループに属するコンテンツを全て容易に把握することができるため、１つ１つのコンテンツについて、削除日時までの残り期間を確認する手間を省くことができる。
【００２６】
本発明に係る録画装置において、上記表示手段は、上記録画手段により上記記憶部に録画された各コンテンツに対して設定された削除日を含むカレンダーを表示し、該カレンダーに含まれる日にちの何れかがユーザによって選択されたときに、選択された日にちに一致する削除日が設定されたコンテンツを表示することが好ましい。
【００２７】
上記の構成によれば、ユーザは、上記録画手段により上記記憶部に録画されたコンテンツのうち、選択した日にちに削除日が設定されているコンテンツを全て容易に把握することができるため、１つ１つのコンテンツについて、削除日を確認する手間を省くことができる。
【００２８】
本発明に係る録画装置の録画方法は、上記の課題を解決するために、記憶部に録画されたコンテンツに対して、該コンテンツを削除する削除日時を設定する設定ステップと、上記設定ステップにおいて設定された削除日時に上記コンテンツを上記記憶部から削除する削除ステップと、上記設定ステップにおいて設定された削除日時、又は、該削除日時までの残り期間と上記コンテンツのタイトルとを関連付けて表示部に表示する表示ステップと、を含んでいることを特徴としている。
【００２９】
上記の構成によれば、録画装置について既に説明した効果と同様の効果を得ることができる。
【００３０】
なお、コンピュータを本発明に係る録画装置として動作させるためのプログラムであって、上記コンピュータを上記録画装置の各手段として機能させることを特徴とするプログラム、及び、それらのプログラムを記録したコンピュータ読み取り可能な記録媒体も本発明の範疇に含まれる。
【発明の効果】
【００３１】
本発明に係る録画装置は、記憶部に録画されたコンテンツに対して、そのコンテンツを削除する削除日時を設定する設定手段と、上記設定手段により設定された削除日時に上記コンテンツを上記記憶部から削除する削除手段と、上記設定手段により設定された削除日時までの残り期間と、上記コンテンツのタイトルとを関連付けて表示部に表示する表示手段と、を備えていることを特徴としている。
【００３２】
これによって、ユーザは、上記コンテンツが削除されるまでの残り期間を容易に把握することができるため、ユーザの意図しないコンテンツが自動的に削除される可能性を低減することができるという効果を奏する。
【図面の簡単な説明】
【００３３】
【図１】図２に示すテレビが備えるＣＰＵの構成を示すブロック図である。
【図２】本発明の一実施形態に係るテレビの構成を示すブロック図である。
【図３】図２に示すテレビがＬＣＤに表示する電子番組表を示した図である。
【図４】図２に示すテレビが備えるＲＡＭに格納されているタイトル管理テーブルの一例を示す図である。
【図５】図２に示すテレビが実行する保存期間グループ数設定処理の流れを示すフローチャートである。
【図６】図２に示すテレビに接続されるＨＤドライブの録画用容量と保存期間グループ数との対応関係を示す図であり、（ａ）は全記録容量が１ＴＢである場合の対応関係の一例を示し、（ｂ）は全記録容量が５００ＧＢである場合の対応関係の一例を示している。
【図７】図２に示すテレビが表示する録画リスト画面の一例を示す図である。
【図８】図２に示すテレビが表示する変更画面の一例を示す図である。
【図９】図２に示すテレビが表示する、ある放送番組の自動削除日時を変更した後の録画リスト画面の一例を示す図である。
【図１０】図２に示すテレビが表示する録画リスト画面の他の一例を示す図である。
【図１１】図２に示すテレビが表示する録画リスト画面の更に他の一例を示す図である。
【図１２】図２に示すテレビが表示する、保存期間グループと放送番組のタイトルとを円グラフで関連付けて表示する録画リスト画面の一例を示す図であり、（ａ）は、保存期間が１日未満であるグループが全体の約１割である場合の円グラフを示し、（ｂ）は保存期間が１日未満であるグループが全体の約４割を占める場合の円グラフを示し、（ｃ）は保存期間が１日未満であるグループが全体の約８割を占める場合の円グラフを示している。
【図１３】図２に示すテレビが表示する、自動削除日と放送番組のタイトルとをカレンダーで関連付けた表示画面の一例を示す図であり、（ａ）は自動削除日時が７月６日である放送番組のタイトルを一覧表示した表示画面の一例を示し、（ｂ）は自動削除日時が７月９日である放送番組のタイトルを一覧表示した表示画面の一例を示している。
【発明を実施するための形態】
【００３４】
本発明の一実施形態に係る録画装置について、図面に基づいて説明すれば以下のとおりである。なお、本実施形態に係る録画装置は、録画機能の他に受信／再生／表示機能を有するテレビジョン受像機として実現されているので、以下ではこれを「テレビ」と呼ぶ。ただし、本発明の適用範囲は、録画機能を有する録画装置一般に及ぶものであって、テレビに限定されるものではない。
【００３５】
（テレビの構成）
図２は、本実施形態に係るテレビ１の構成を示すブロック図である。テレビ１は、図２に示すように、外部入力端子１０１、地上デジタル放送チューナ１０２、衛星放送チューナ１０３、録画再生部１０４、ＢＤドライブ１０５、映像セレクタ１０６、映像処理回路１０７、ＯＳＤ（On-Screen Display）生成部１０８、ＬＣＤ（Liquid Crystal Display）コントローラ１０９、ＬＣＤ１１０、音声セレクタ１１１、音声処理回路１１２、アンプ１１３、スピーカ１１４、ＵＳＢ（Universal Serial Bus）インターフェース１１５、ＲＯＭ１１６、ＲＡＭ１１７、ＣＰＵ１１８（録画手段）、赤外線受光部１１９、カメラ１２０、および、ＨＤドライブ１２１を備えている。図２においては、映像信号の経路を実線で、音声信号の経路を１点鎖線で、データや制御信号の経路（バス）を太線で示している。
【００３６】
外部入力端子１０１は、映像入力端子１０１ａと音声入力端子１０１ｂとを含む。映像入力端子１０１ａは、映像信号を入力するためのものであり、例えば、ＤＶＩ端子である。音声入力端子１０１ｂは、音声信号を入力するためのものであり、例えば、Ｓ／ＰＤＩＦ端子である。ただし、外部入力端子１０１は、これに限定されず、映像入力端子１０１ａと音声入力端子１０１ｂとが一体化されたＨＤＭＩ端子であってもよい。
【００３７】
地上デジタル放送チューナ１０２は、地上デジタル放送により各放送局から放送される放送番組を受信するためのチューナである。地上デジタル放送チューナ１０２は、例えば、受信信号をアナログベースバンド信号に変換するＲＦ部、アナログベースバンド信号をデジタルベースバンド信号に変換するＡＤＣ部、デジタルベースバンド信号からＭＰＥＧ２ストリームを復調する復調部、および、ＭＰＥＧ２ストリームから映像信号を復号する復号部により構成することができる。
【００３８】
地上デジタル放送チューナ１０２により復調されたＭＰＥＧ２ストリームは、バスを介して録画再生部１０４に供給される。また、地上デジタル放送チューナ１０２により復号された映像信号および音声信号は、それぞれ、映像セレクタ１０６および音声セレクタ１１１に供給さる。なお、地上デジタル放送チューナ１０２が何れのチャンネルを介して伝送されるＭＰＥＧ２データストリームを復調するかは、ＣＰＵ１１８により制御される。
【００３９】
なお、地上デジタル放送チューナ１０２は、異なるチャンネルを介して放送される２つの放送番組を同時に受信することが可能なダブルチューナであることが好ましい。この場合、地上デジタル放送チューナ１０２は、視聴用チャンネルとして選択された第１のチャンネルを介して放送される第１の放送番組を表す映像信号を映像セレクタ１０６に供給しながら、録画用チャンネルとして選択された第２のチャンネルを介して放送される第２の放送番組を表すＭＰＥＧ２ストリームを録画再生部１０４に供給することができる。
【００４０】
もちろん、本発明に係る地上デジタル放送チューナ１０２は、ダブルチューナに限定されるものではなく、例えば、シングルチューナであってもよく、３つ以上のチューナを備える複数のチューナであってもよい。地上デジタル放送チューナ１０２がシングルチューナである場合には、ユーザが放送番組を視聴していないときに限って、放送番組を表すＭＰＥＧ２ストリームを録画再生部１０４に供給することができる。また、地上デジタル放送チューナ１０２が複数のチューナによって構成される場合には、チャンネル毎、放送波毎、又は、視聴者毎（例えば、お父さん、お母さん、及び、子供など）に、異なるチャンネルを介して放送される放送番組を表すＭＰＥＧ２ストリームを録画再生部１０４に供給することができる。
【００４１】
衛星放送チューナ１０３は、衛星を経由して各放送局から放送される放送番組を受信するためのチューナである。衛星放送チューナ１０３は、例えば、受信信号をアナログベースバンド信号に変換するＲＦ部、アナログベースバンド信号をデジタルベースバンド信号に変換するＡＤＣ部、デジタルベースバンド信号からＭＰＥＧ２ストリームを復調する復調部、および、ＭＰＥＧ２ストリームから映像信号を復号する復号部により構成することができる。
【００４２】
衛星放送チューナ１０３により復調されたＭＰＥＧ２ストリームは、録画再生部１０４に供給される。また、衛星放送チューナ１０３により復号された映像信号および音声信号は、それぞれ、映像セレクタ１０６および音声セレクタ１１１に供給さる。なお、衛星放送チューナ１０３が何れのチャンネルを介して伝送されるＭＰＥＧ２データストリームを復調するかは、ＣＰＵ１１８により制御される。
【００４３】
なお、本実施形態における衛星放送チューナ１０３は、地上デジタル放送チューナ１０２と同様、異なるチャンネルを介して放送される２つの放送番組を同時に受信することが可能なダブルチューナであることが好ましい。
【００４４】
録画再生部１０４は、録画部１０４ａと再生部１０４ｂとを含む。録画部１０４ａは、地上デジタル放送チューナ１０２又は衛星放送チューナ１０３からＭＰＥＧ２ストリームを取得し、取得したＭＰＥＧ２ストリームを記録装置に書き込むためのものである。録画部１０４ａは、テレビ１に内蔵されたＢＤドライブ１０５、テレビ１に内蔵されたＨＤドライブ１２１、又は、ＵＳＢインターフェース１１５に接続されたＨＤドライブ２を、ＭＰＥＧ２ストリームを記録するための記録装置として利用する。再生部１０４ｂは、記録装置からＭＰＥＧ２ストリームを読み出し、読み出したＭＰＥＧ２ストリームから映像信号および音声信号を復号するためのものである。再生部１０４ｂにより復号された映像信号および音声信号は、それぞれ、映像セレクタ１０６および音声セレクタ１１１に供給される。
【００４５】
映像セレクタ１０６には、上述した４種類の映像信号が供給される。すなわち、（１）外部入力端子１０１（特に映像入力端子１０１ａ）から入力された映像信号、（２）地上デジタル放送チューナ１０２にて復号された映像信号、（３）衛星放送チューナ１０３にて復号された映像信号、および、（４）録画再生部１０４（特に録画部１０４ａ）にて復号された映像信号が入力される。映像セレクタ１０６は、上記（１）〜（４）の映像信号のうちの何れか１つを選択する。映像セレクタ１０６によって選択された映像信号は、映像処理回路１０７に供給される。なお、映像セレクタ１０６が何れの映像信号を選択するかは、ＣＰＵ１１８によって制御される。
【００４６】
映像処理回路１０７は、映像セレクタ１０６から供給された映像信号に画質調整処理を施す。また、映像処理回路１０７は、映像セレクタ１０６から供給された映像信号にスケーリング処理を施す。ここで、画質調整処理とは、例えば、映像信号を加工することによって、その映像信号が表す映像の輝度、シャープネス、および、コントラストの少なくとも何れかを変更することを指す。また、スケーリング処理とは、映像信号を加工することによって、その映像信号が表す映像のサイズを相似拡大または相似縮小することを指す。映像処理回路１０７によって加工された映像信号は、ＬＣＤコントローラ１０９に供給される。なお、映像処理回路１０７が画質およびサイズをどのように変更するかは、ＣＰＵ１１８によって制御される。
【００４７】
ＯＳＤ生成部１０８は、ＣＰＵ１１８から供給されたＯＳＤデータからＯＳＤ画像を生成（レンダリング）する。ＯＳＤ生成部１０８が生成するＯＳＤ画像としては、後述する電子番組表などが挙げられる。ＯＳＤデータとしては、例えば、ＳＶＧ（Scalable Vector Graphics）を用いることができる。ＯＳＤ生成部１０８により生成されたＯＳＤ画像は、映像処理回路１０７から供給された映像信号に重畳され、ＬＣＤコントローラ１０９に供給される。
【００４８】
ＬＣＤコントローラ１０９は、映像処理回路１０７から供給された映像信号に基づいて、その映像信号が表す映像を表示するようにＬＣＤ１１０を駆動する。また、ＯＳＤ生成部１０８からＯＳＤ画像が供給されている場合、ＬＣＤコントローラ１０９は、映像処理回路１０７から供給された映像信号にＯＳＤ画像が重畳されたものに基づいて、その映像信号が表す映像を表示するようにＬＣＤ１１０を駆動する。
【００４９】
音声セレクタ１１１には、上述した４種類の音声信号が供給される。すなわち、（１）外部入力端子１０１（特に音声入力端子１０１ｂ）から入力された音声信号、（２）地上デジタル放送チューナ１０２にて復号された音声信号、（３）衛星放送チューナ１０３にて復号された音声信号、および、（４）録画再生部１０４（特に再生部１０４ｂ）にて復号された音声信号が入力される。音声セレクタ１１１は、上記（１）〜（４）の音声信号のうちの何れか１つを選択する。
【００５０】
音声セレクタ１１１によって選択された音声信号は、音声処理回路１１２に供給される。なお、音声セレクタ１１１が何れの音声信号を選択するかは、ＣＰＵ１１８によって制御される。ただし、映像セレクタ１０６における映像の選択と、音声セレクタ１１１における音声の選択とは連動しており、例えば、映像セレクタ１０６が地上デジタル放送チューナ１０２から供給された映像信号を選択しているときには、音声セレクタ１１１も地上デジタル放送チューナ１０２から供給された音声信号を選択する。
【００５１】
音声処理回路１１２は、音声セレクタ１１１から供給された音声信号に音量調整処理を施す。また、音声処理回路１１２は、音声セレクタ１１１から供給された音声信号に音質調整処理を施す。ここで、音量調整処理とは、音声信号を加工することによって、その音声信号が表す音声の音量を変更することを指す。また、音質調整処理とは、音声信号を加工することによって、その音声信号が表す音声の周波数特性を変更すること（例えば、低域の強調や高域の強調など）を指す。音声処理回路１１２によって加工された音声信号は、アンプ１１３に供給される。なお、音声処理回路１１２によって音量および音質をどのように変更するかは、ＣＰＵ１１８によって制御される。
【００５２】
アンプ１１３は、音声処理回路１１２から供給された音声信号に基づいて、その音声信号が表す音声を出力するようにスピーカ１１４を駆動する。
【００５３】
ＣＰＵ１１８は、赤外線受光部１１９が受信したリモコン信号、および、カメラ１２０が撮像した画像応じて上記各部を制御する。赤外線受光部１１９を用いた制御としては、例えば、地上デジタル放送チューナ１０２および衛星放送チューナ１０３の受信チャンネルをリモコン信号に応じて切り替える制御や、映像セレクタ１０６および音声セレクタ１１１にて選択する映像信号および音声信号をリモコン信号に応じて切り替える制御などが挙げられる。また、カメラ１２０を用いた制御としては、例えば、映像処理回路１０７にて画質をどのように調整するかを、撮像した画像に基づいて特定した視聴者に応じて切り替える制御などが挙げられる。
【００５４】
また、ＣＰＵ１１８は、各放送局から提供されるＥＰＧ（Electronic Program Guide）データから放送番組テーブルを作成する機能、および、放送番組テーブルと視聴履歴から推奨番組テーブルを作成する機能を有している。ＣＰＵ１１８によって作成される放送番組テーブルおよび推奨番組テーブルについては、参照する図面を代えて後述する。なお、各放送局から提供されるＥＰＧデータは、例えば、地上デジタル放送チューナ１０２又は衛星放送チューナ１０３を用いて取得することができる。
【００５５】
ＲＯＭ１１６は、ＣＰＵ１１８によって実行されるプログラムなどの固定データが格納される、読み出し可能かつ書き込み不能なメモリである。一方、ＲＡＭ１１７は、ＣＰＵ１１８が演算のために参照するデータや、ＣＰＵ１１８が演算によって生成したデータなどの可変データが格納される、読み出し可能かつ書き込み可能なメモリである。例えば、上述した放送番組テーブルおよび推奨番組テーブルは、このＲＡＭ１１７に格納される。
【００５６】
ＵＳＢインターフェース１１５は、ＵＳＢ機器をテレビ１に接続するためのインターフェースである。テレビ１に接続可能なＵＳＢ機器としては、ＨＤ（ハードディスク）ドライブなどの記録装置が代表的である。本実施形態においては、図２に示すように、ＵＳＢインターフェース１１５にＨＤドライブ２が接続されていることを仮定する。
【００５７】
なお、本実施形態においては、テレビ１に内蔵されたＨＤドライブ１２１（内蔵ＨＤドライブ）、ＵＳＢインターフェース１１５に接続されたＨＤドライブ２（外付ＨＤドライブ）、および、テレビ１に内蔵されたＢＤドライブ１０５（内蔵ＢＤドライブ）を、録画番組の蓄積に利用する構成を採用しているが、本発明はこれに限定されない。また、テレビ１にＢＤドライブがＵＳＢ接続されている場合、このＢＤドライブ（外付ＢＤドライブ）を録画番組の蓄積に利用してもよい。また、ＢＤドライブ以外の光ディスクドライブがＵＳＢ接続されている場合、この光ディスクドライブを記録媒体を録画番組の蓄積に利用してもよいし、ＵＳＢフラッシュメモリなどの記録媒体を録画番組の蓄積に利用してもよい。要するに、記録媒体は、録画番組の蓄積が可能であれば、何を用いてもよい。
【００５８】
また、録画番組の蓄積に利用する外部記録装置（本実施形態においてはＨＤドライブ２）を接続するためのインターフェースも、ＵＳＢインターフェース１１５に限定されない。すなわち、ＵＳＢインターフェース１１５は、例えば、ＡＴＡ（Advanced Technology Attachment）、ＡＴＡＰＩ（ATA Packet Interface）、ＩＥＥＥ１３９４、ＨＤＭＩ（High-Definition Multimedia Interface）、および、ＬＡＮなどの有線接続用インターフェース、あるいは、ＩＥＥＥ８０２．１１などの無線接続用インターフェースに置換することが可能である。ＳＤカードが接続されている場合には、このＳＤカードを録画番組の蓄積に利用してもよい。要するに、外部記録装置を接続するためのインターフェースは、録画番組を伝送可能なものであれば、何を用いてもよい。
【００５９】
また、本実施形態においては、地上デジタル放送の方式として、ＭＰＥＧ２ストリームを多重化する方式（米国におけるＡＴＳＣ方式や日本におけるＩＳＤＢ−Ｔ方式など）を想定しているが、本発明はこれに限定されるものではない。すなわち、例えば、ＭＰＥＧ２ストリームを多重化する代わりに、ＭＰＥＧ４ストリーム等を多重化する方式（欧州におけるＤＶＢ−Ｔ／ＤＶＢ−Ｔ２方式など）に対しても本発明を適用することができる。後者の場合、復調したＭＰＥＧ４ストリームをそのまま記録媒体に記録する構成を採用してもよいし、あるいは、復調したＭＰＥＧ４ストリームをＭＰＥＧ２ストリームに変換して記録媒体に記録する構成を採用してもよい。
【００６０】
（電子番組表）
次に、テレビ１がＬＣＤ１１０に表示する電子番組表について、図３を参照して説明する。図３は、テレビ１がＬＣＤ１１０に表示する電子番組表３０を示した図である。電子番組表３０は、放送中および放送予定の放送番組を一覧表示する放送番組欄３１に、放送中および放送予定の番組の中からテレビ１が選択した推奨番組を一覧表示する推奨番組欄３２を付加したものである。
【００６１】
放送番組欄３１は、各チャンネルＡ〜Ｅに対応する複数の列３１ａ〜３１ｅにより構成される。これらの列３１ａ〜３１ｅの各々には、そのチャンネルを介して放送される各放送番組を表すセルが時間軸に沿って配列される。例えば、第１の列３１ａには、チャンネルＡを介して放送される各放送番組を表すセルａ１〜ａ３が時間軸に沿って配列され、第２の列３１ｂには、チャンネルＢを介して放送される各放送番組を表すセルｂ１〜ｂ３が時間軸に沿って配列される。放送番組欄３１を構成する各セルには、対応する放送番組に関するメタ情報（タイトル、ジャンル、内容等）が表示される。
【００６２】
推奨番組欄３２は、各推奨番組を表すセルｒ１〜ｒ３が時間軸に沿って配列された１つの列により構成される。推奨番組欄３２を構成する各セルには、放送番組欄３１を構成する各セルと同様、対応する推奨番組に関するメタ情報（タイトル、ジャンル、内容等）が表示される。ここで、推奨番組とは、視聴者の嗜好に合致した放送番組として、放送番組欄３１に掲載された放送番組の中からテレビ１が選択した番組のことを指す。図３に示す例では、チャンネルＡで１９時００分から１９時３０分まで放送される放送番組、チャンネルＣで２０時００分から２０時４５分まで放送される放送番組、および、チャンネルＢで２１時００分から２２時００分まで放送される放送番組が選択され、これらの放送番組が、それぞれ、セルＲ１〜Ｒ３に推奨番組として掲載されている。なお、推奨番組は、「常連番組」と呼称されることもある。
【００６３】
テレビ１が推奨番組を選択する方法としては、例えば、以下の（１）又は（２）の方法が挙げられる。ただし、テレビ１が推奨番組を選択する方法は、（１）又は（２）の方法に限定されず、他の公知の方法に置換してもよい。
【００６４】
（１）放送番組欄３１に掲載された各放送番組について、その放送番組が前週視聴した番組であるか否かを判定する。そして、前週視聴した番組であると判定した放送番組を、推奨番組として選択する。ここで、放送チャンネルがｘ、放送日がｙ曜日、放送開始時刻がｔ１、放送終了時刻がｔ２である放送番組が前週視聴した番組であるか否かは、例えば、前週ｙ曜日の時刻ｔ１から時刻ｔ２までの間にチャンネルｘが選局されていた時間ｔが放送時間（ｔ２−ｔ１）の半分以上を占めるか否かによって判定することができる。なお、ここでは、１週前に視聴した番組を推奨番組とする放送を説明したが、１週前に視聴した番組に加え、２週前に視聴した番組、３週前に視聴した番組、…、および、Ｎ週前に視聴した番組（すなわち、Ｎ週間前までに視聴した放送番組）を推奨番組とする方法を採用してもよい。
【００６５】
（２）放送番組欄３１に掲載された各放送番組について、その放送番組の放送チャンネルの視聴頻度、および、その放送番組のジャンルの視聴頻度に応じたスコアを算出する。そして、各時間帯（例えば、０時００分〜１時００分、１時００分〜２時００分、…、および、２３時００分〜２４時００分の各々）において放送される放送番組の中で最もスコアが高い放送番組を推奨番組として選択する。ここで、放送チャンネルがｘ、ジャンルがｚである放送番組のスコアは、例えば、チャンネルｘの視聴頻度とジャンルｚの視聴頻度との平均を取ることにより算出することができる。チャンネルｘの視聴頻度は、所定の期間内（例えば最近１週間）に視聴した番組の総数をＭ、そのうち放送チャンネルがｘである番組の数をＫとすると、例えば、Ｋ／Ｍにより算出することができる。また、ジャンルｚの視聴頻度は、所定の期間内（例えば最近１週間）に視聴した番組の総数をＭ、そのうちジャンルがｚである番組の数をＬとすると、例えば、Ｌ／Ｍにより算出することができる。
【００６６】
このような電子番組表３０の表示を実現するために、テレビ１のＣＰＵ１１８は、ＥＰＧデータから放送番組テーブルを作成し、作成した放送番組テーブルをＲＡＭ１１７に格納する。ここで、放送番組テーブルは、電子番組表３０の放送番組欄３１をコンピュータ読み取り可能なテーブルデータとして表現したものである。また、テレビ１のＣＰＵ１１８は、視聴履歴と放送番組テーブルとから推奨番組テーブルを作成し、作成した推奨番組テーブルをＲＡＭ１１７に格納する。ここで、推奨番組テーブルは、電子番組表３０の推奨番組欄３２をコンピュータ読み取り可能なテーブルデータとして表現したものである。
【００６７】
推奨番組テーブルの例を下表に示す。下表に示すように、推奨番組テーブルには、各推奨番組ついて、（１）その番組ＩＤ、（２）放送開始時刻、（３）放送終了時刻、（４）放送チャンネル、および、（５）テキストが登録されている。なお、下表においてテキストｘｘｘは、電子番組表３０の対応するセルｒ１内に表示されるテキスト、すなわち、タイトル、ジャンル、出演者などを含むテキストを表す。テキストｙｙｙおよびテキストｚｚｚも同様である。
【００６８】
【表１】
2012074853.tif 000003
【００６９】
ＣＰＵ１１８は、電子番組表３０の表示を指示するユーザ操作を受け付けると、ＲＡＭ１１７に格納された放送番組テーブルと推薦番組テーブルとから電子番組表３０を表すＯＳＤデータを作成し、作成したＯＳＤデータをＯＳＤ生成部１０８に提供する。ＯＳＤ生成部１０８は、このＯＳＤデータから電子番組表３０（ＯＳＤ画像）をレンダリングする。このようにして、電子番組表３０の表示が実現される。
【００７０】
また、テレビ１は、推奨番組を自動選局する自動選局機能、および、推奨番組を自動録画する自動録画機能を有している。自動選局機能および自動録画機能は、それぞれ、上述した推薦番組テーブルによって実現される。なお、自動選局機能および自動録画機能は、それぞれ、「常連番組選局」機能および「常連録画」機能と呼ばれることもある。
【００７１】
ユーザによって、リモコンに備えられている、テレビ１の自動選局機能を有効にするボタン（以降、自動選局ボタンと呼称する）が押されると、テレビ１は、自動選局モードに遷移する。自動選局モードにおいて、ＣＰＵ１１８は、推奨番組が随時選局されるよう、地上デジタル放送チューナ１０２を推奨番組テーブルに基づいて制御する。具体的には、推奨番組テーブルに登録された各推奨番組の放送開始時刻と現在時刻ｔとを定期的に比較する。そして、現在時刻ｔがある推奨番組の放送開始時刻に達した時点で、地上デジタル放送チューナの視聴用チャンネルをその推奨番組の放送チャンネルに切り替える。
【００７２】
表１に示した例に即して言うと、１９時００以降、推奨番組選局機能が有効化されて続けている場合、ＣＰＵ１１８は、１９時００分になったら地上デジタル放送チューナ１０２の視聴用チャンネルをチャンネルＡに切り替え、２０時００分になったら地上デジタル放送チューナ１０２の視聴用チャンネルをチャンネルＣに切り替え、２１時００分になったら地上デジタル放送チューナ１０２の視聴用チャンネルをチャンネルＢに切り替える。これにより、推奨番組テーブルに登録された各推奨番組の自動選局が実現される。
【００７３】
また、１９時００分〜１９時３０分の間にリモコンの自動選局ボタンがおされ、推奨番組選局機能が有効化された場合には、ＣＰＵ１１８は、推奨番組選局機能が有効化された時点で地上デジタル放送チューナ１０２の視聴用チャンネルをチャンネルＡに切り替える。また、ＣＰＵ１１８は、２０時００分〜２０時４５分の間にリモコンの自動選局ボタンがおされ、推奨番組選局機能が有効化された場合には、推奨番組選局機能が有効化された時点で地上デジタル放送チューナ１０２の視聴用チャンネルをチャンネルＣに切り替える。さらに、ＣＰＵ１１８は、２１時００分〜２２時００分の間にリモコンの自動選局ボタンがおされ、推奨番組選局機能が有効化された場合には、推奨番組選局機能が有効化された時点で地上デジタル放送チューナ１０２の視聴用チャンネルをチャンネルＢに切り替える。
【００７４】
なお、自動選局モードは、１つの推奨番組が終了した時点で終了する構成を採用してもよいし、リモコンの自動選局解除ボタンが押されるまで継続される構成を採用してもよい。
【００７５】
また、自動録画モードにおいて、ＣＰＵ１１８は、推奨番組が随時録画されるよう、地上デジタル放送チューナ１０２および録画部１０４ａを制御する。より具体的に言うと、ＣＰＵ１１８は、推奨番組テーブルに登録された各推奨番組の放送開始時刻と現在時刻ｔとを定期的に比較する。そして、現在時刻ｔがある推奨番組の放送開始時刻に達した時点で、録画部１０４ａに録画の開始を指示する。また、現在時刻ｔがその推奨番組の放送終了時刻に達した時点で、録画部１０４ａに録画の終了を指示する。
【００７６】
表１に示した例に即して言えば、ＣＰＵ１１８は、１９時００分になったら、録画部１０４ａに録画の開始を指示する。そして、１９時３０分になったら、録画部１０４ａに録画の終了を指示する。また、ＣＰＵ１１８は、２０時００分になったら、録画部１０４ａに録画の開始を指示する。そして、２０時４５分になったら、録画部１０４ａに録画の終了を指示する。また、ＣＰＵ１１８は、２１時００分になったら、録画部１０４ａに録画の開始を指示する。そして、２２時００分になったら、ＣＰＵ１１８は、録画部１０４ａに録画の終了を指示する。これにより、推奨番組テーブルに登録された各推奨番組の自動録画が実現される。
【００７７】
なお、録画部１０４ａは、自動録画する放送番組（推奨番組）を表すＭＰＥＧ２ストリームを、ＨＤドライブ１２１に設けられた自動録画用ディレクトリに書き込むように設定されている。また、録画部１０４ａは、手動録画する放送番組を表すＭＰＥＧ２ストリームを、ＨＤドライブ１２１に設けられた手動録画用ディレクトリに書き込むように設定されている。つまり、自動録画された放送番組（推奨番組）は、ＨＤドライブ１２１の自動録画用ディレクトリに蓄積され、手動録画された放送番組は、ＨＤドライブ１２１の手動録画用ディレクトリに蓄積されるようになっている。
【００７８】
また、自動録画用ディレクトリに記録されている放送番組は、自動録画用の記録容量が特定の値よりも少なくなった時点で、自動録画された日時が古い順に自動的に削除される。これに対し、手動録画用ディレクトリに記録されている放送番組は、その放送番組を削除することを指示するユーザ指示を受け付けた場合にのみ削除される。なお、自動録画用ディレクトリに記録されている放送番組に対し、後述する自動削除日時を設定し、自動録画が終了した時点から一定の期間が経過した後に自動的に削除される構成を採用してもよい。
【００７９】
ここで、手動録画とは、ユーザにより明示的に指定された期間、ユーザにより指定されたチャンネルにて放送される放送番組を録画する録画態様のことを指す。例えば、リモコンの録画開始ボタン（ＲＥＣボタン）が押下されてから、リモコンの録画停止ボタン（ＳＴＯＰボタン）が押下されるまでの期間、視聴用チャンネルとして選択されたチャンネルで放送される放送番組を録画する通常録画は、手動録画の一例である。また、事前に指定された期間、録画用チャンネルとして事前に指定されたチャンネルで放送される放送番組を録画する予約録画も、手動録画の一例である。一方、自動録画とは、ユーザによる明示的な指示によらずに、テレビ１が選択した放送番組を録画する録画態様のことを指す。上述した推奨番組の自動録画は、自動録画の一例である。
【００８０】
（ＣＰＵの構成）
次に、テレビ１が備えるＣＰＵ１１８の構成について、図１を参照して説明する。図１は、テレビ１が備えるＣＰＵ１１８の構成を示すブロック図である。
【００８１】
ＣＰＵ１１８は、図１に示すように、削除日時設定部５１（設定手段）、ＵＩ制御部５２（表示手段）、タイマ５３、及び、自動削除制御部５４（削除手段）を備えている。
【００８２】
削除日時設定部５１は、自動録画された放送番組に自動削除日時を設定する手段である。具体的には、削除日時設定部５１は、自動録画が行われると、まず、ＲＡＭ１１７に格納されているタイトル管理テーブルを読み出し、自動録画された放送番組のタイトルをタイトル管理テーブルに新たに記録する。次に、削除日時設定部５１は、自動録画が修了した時点から所定の期間が経過した後に自動削除されるよう、自動削除日時を放送番組のタイトルに関連付けてタイトル管理テーブルに記録する。削除日時設定部５１は、自動録画されたタイトルと自動削除日時とが新たに記録されたタイトル管理テーブルをＲＡＭ１１７に書き込む。なお、タイトル管理テーブル及び自動削除日時の設定方法については、後述する。なお、自動録画が終了した時点から所定の期間が経過した後に自動削除される構成を示したが、これに限定されるものではなく、例えば、自動録画が開始された時点から所定の期間が経過した後に自動削除される構成を採用してもよい。
【００８３】
また、削除日時設定部５１が放送番組に対して設定する自動削除日時は、放送番組の録画が終了した時点から、ユーザにより指定された期間だけ経過した後に削除されるように設定されてもよいし、ユーザの指定によらずに予め設定された期間だけ経過した後に削除されるように設定されてもよい。
【００８４】
ＵＩ制御部５２は、ＲＡＭ１１７に格納されているタイトル管理テーブルに基づき、自動録画された放送番組のリスト（以降、自動録画リストとも呼称する）を表示するためのＯＳＤデータ（以降、自動録画リストデータとも呼称する）を生成する。具体的には、ＵＩ制御部５２は、予め定められた特定のユーザ操作を赤外線受光部１１９から取得すると、ＲＡＭ１１７に格納されているタイトル管理テーブルを読み出し、読み出したタイトル管理テーブルから自動録画リストデータを生成する。ＵＩ制御部５２により生成された自動録画リストデータは、ＯＳＤ生成部１０８に供給される。
【００８５】
また、ＵＩ制御部５２は、自動録画された放送番組のうち、特定のタイトルに関連付けられた自動削除日時を変更するためのユーザ操作を赤外線受光部１１９から取得すると、ＲＡＭ１１７に格納されているタイトル管理テーブルを読み出す。ＵＩ制御部５２は、読み出したタイトル管理テーブルに記録されている、特定のタイトルに関連付けられている自動削除日時を変更し、変更したタイトル管理テーブルをＲＡＭ１１７に書き込む。また、ＵＩ制御部５２は、ＲＡＭ１１７に書き込むタイトル管理テーブルから自動録画リストデータを生成し、ＯＳＤ生成部１０８に供給する。
【００８６】
タイマ５３は、自動削除制御部５４に現在時刻を通知する。
【００８７】
自動削除制御部５４は、自動録画された放送番組を、現在時刻がタイトル管理テーブルにおいてその放送番組のタイトルに関連付けられている自動削除日時に達した（すなわち、自動削除日時までの残り期間がなくなった）時点で削除する。具体的には、自動削除制御部５４は、ＲＡＭ１１７から読み出したタイトル管理テーブルに、タイマ５３から通知される現在時刻と一致する自動削除日時が関連付けられているタイトルが存在するか否かを定期的に判定する。自動削除制御部５４は、タイマ５３から通知される現在時刻と一致する自動削除日時が関連付けられているタイトルが存在する場合、タイトル管理テーブルから、現在時刻と一致する自動削除日時に関連付けられているタイトル、及び、当該タイトルに関連付けられている情報を全て削除し、削除したタイトル管理テーブルをＲＡＭに書き込む。
【００８８】
また、自動削除制御部５４は、現在時刻と一致する自動削除日時に関連付けられているタイトルを有する放送番組を削除するための削除コマンドを、ＨＤドライブ１２１に送信する。なお、自動削除制御部５４は、タイトル管理テーブルにおいてタイトルと関連付けられている、削除すべき放送番組が記録されているＨＤドライブ１２１のアドレスをＲＡＭ１１７から読み出し、読み出したアドレスを削除コマンドに含ませる。ＨＤドライブ１２１は、削除コマンドに含まれるアドレスを参照することによって、削除すべき放送番組を削除する。
【００８９】
（タイトル管理テーブル）
次に、ＲＡＭ１１７に格納されているタイトル管理テーブルについて、図４を参照して説明する。図４は、ＲＡＭ１１７に格納されているタイトル管理テーブルの一例を示す図である。
【００９０】
図４に示すように、タイトル管理テーブルには、自動録画された放送番組毎に、タイトル、自動録画日時、及び、自動削除日時が記録されている。なお、図４では、自動削除日時として年月日が設定されている場合を例に挙げて説明しているが、本発明はこれに限定されるものではない。例えば、自動削除日時として、時間、分などを細かく設定可能な構成を採用してもよい。
【００９１】
また、図４に示すように、タイトル管理テーブルには、更に、自動録画された放送番組毎に、未視聴フラグ、自動削除日時延長フラグ、シリーズフラグ、保存期間グループ、及び、アドレスが記録されている。
【００９２】
未視聴フラグは、対応する放送番組が未視聴であることを示すフラグである。未視聴フラグは、対応する放送番組が録画された時点でＯＮ（図４において「○」）に設定され、対応する放送番組が再生された時点でＯＦＦ（図４において無印）に設定される。なお、未視聴フラグをＯＦＦに設定するタイミングは、対応する放送番組の再生を開始した時点であってもよいし、対応する放送番組の再生を完了した時点であってもよい。
【００９３】
自動削除日時更新フラグは、対応する放送番組に関連づけられている自動削除日時が変更されていることを示すフラグである。自動削除日時更新フラグは、自動削除日時が変更されていない場合にはＯＦＦに設定されており、自動削除日時が変更された場合にＯＮに設定される。
【００９４】
例えば、タイトルが「スポーツ」である放送番組、及び、タイトルが「ドラマＢ（５回目）」である放送番組に設定されている自動削除日時を５日延長する変更がされると、自動削除日時変更フラグはＯＮに設定される。また、タイトルが「スポーツ」である放送番組に予め設定されていた自動削除日時２０１０年７月３１日が５日延長され、２０１０年８月５日に更新される。更に、タイトルが「ドラマＢ（５回目）」である放送番組に予め設定されていた自動削除日時２０１０年７月３０日が５日延長され、２０１０年８月４日に更新される。
【００９５】
シリーズフラグは、対応する放送番組が、ユーザがシリーズを通して視聴している放送番組であることを示すフラグである。シリーズフラグは、関連付けられているタイトルがシリーズ化されている放送番組のタイトルであり、かつ、同一シリーズに属する他の放送回の放送番組を録画及び再生した回数の合計が所定の回数以上である場合にＯＮに設定される。
【００９６】
シリーズ化されている放送番組とは、例えば、連続ドラマなどである。なお、シリーズ化された放送番組であるか否かは、例えば、各放送局から提供されるＥＰＧを参照し、前週同曜日の同時刻に同タイトルの放送番組が放送されていたか否かによって判定することができる。
【００９７】
例えば、図４において、タイトルが「ドラマＡ（３回目）」である放送番組は、シリーズ化された放送番組であり、かつ、同じシリーズの他の放送回（１回目及び２回目の少なくとも何れか）の放送番組を録画及び再生した回数の合計が所定の回数以上であるため、シリーズフラグがＯＮに設定されている。一方、タイトルが「ドラマＢ（５回目）」である放送番組は、シリーズ化された放送番組であるが、同じシリーズの他の放送回（１回目から４回目の少なくとも何れか）の放送番組を録画及び再生した回数の合計が所定の回数未満であるため、シリーズフラグはＯＦＦに設定されている。
【００９８】
保存期間グループとしては、対応する放送番組の自動削除日時までの残り期間が、何れのグループに属するかを示すフラグを記録する。図４に示す例では、自動削除日時までの残り期間が、（Ａ）１日未満であるグループ、（Ｂ）１日以上３日未満であるグループ、（Ｃ）３日以上であるグループの３つのグループに分け、対応する放送番組がグループＡ〜Ｃの何れに属するかを示している。なお、グループの分け方、数などはこれに限定されるものではなく、例えば、ＨＤドライブ１２１の記録容量に応じて保存残り期間グループの数を設定する構成を採用してもよい。
【００９９】
また、保存期間グループは、例えば、定期的に更新される。更新される頻度は、例えば、１０分毎であってもよいし、１５分毎であってもよい。
【０１００】
また、保存期間グループは、未視聴フラグ、自動削除日時更新フラグ、及び、シリーズフラグの少なくとも何れかがＯＮに設定されているタイトルに設定すればよい。すなわち、未視聴フラグ、自動削除日時更新フラグ、及び、シリーズフラグの何れもＯＮに設定されていないタイトルは自動削除してもよいとみなし、自動削除日時に達した時点で自動削除を行う。
【０１０１】
なお、本実施形態では、未視聴フラグ、自動削除日時更新フラグ、及び、シリーズフラグの少なくとも何れかがＯＮに設定されているタイトルに保存期間グループを設定する構成を例に挙げて説明したが、本発明はこれに限定されるものではない。例えば、フラグのＯＮ又はＯＦＦによらず、現在時刻からタイトルに関連付けられている自動削除日時までの残り期間に応じて、全てのタイトルに対して保存期間グループを設定する構成を採用してもよい。
【０１０２】
（自動削除日時の設定方法）
自動削除日時は、放送番組が自動録画された時点で、削除日時設定部５１により、その放送番組のタイトルと関連付けて、タイトル管理テーブルに記録される。なお、自動削除日時は、自動録画されてからユーザにより設定された期間（この期間を、以下、タイトル保存期間とも呼ぶ）が経過した時点に設定される。例えば、タイトル保存期間が１週間に設定された放送番組は、自動録画されてから１週間後に自動削除され、タイトル保存期間が１０日間に設定された放送番組は、自動録画されてから１０日後に自動削除される。なお、タイトル保存期間は、例えば、ＲＡＭ１１７に記録されていればよい。
【０１０３】
タイトル保存期間の設定は、ＵＩ制御部５２によって行われる。ＵＩ制御部５２は、赤外線受光部１１９を介して、保存期間設定画面を表示することを指示するユーザ操作を受け付けると、タイトル保存期間を設定するためのＧＵＩである保存期間設定画面を生成するためのＯＳＤデータ（以降、保存期間設定画面データとも呼称する）をＯＳＤ生成部１０８に供給する。ＯＳＤ生成部１０８は、供給された保存期間設定画面データから保存期間設定画面を生成し、ＬＣＤ１１０に表示する。ＵＩ制御部５２はまた、赤外線受光部１１９を介して、タイトル保存期間を設定することを指示するユーザ操作を受け付けると、ＲＡＭ１１７に記録されているタイトル保存期間を、新しく設定されたタイトル保存期間に書き換える。
【０１０４】
なお、タイトル保存期間を、予めユーザが設定する構成を例に挙げて説明したが、本発明はこれに限定されるものではない。例えば、ＨＤドライブ１２１の全記録容量のうち、自動録画された放送番組を記録するために割り当てられた記録容量（以降、自動録画用容量とも呼称する）の残りの容量に応じて適宜設定される構成を採用してもよい。また、予め設定されたタイトル保存期間を、全ての放送番組に一律に適用してもよい。
【０１０５】
（保存期間グループ数設定処理）
次に、ＨＤドライブ１２１に自動録画用容量を割り当てる際に行われる、ＨＤドライブ１２１の記録容量に応じて保存期間グループ数を設定する保存期間グループ数設定処理について、図５及び図６を参照して説明する。図５は、保存期間グループ数を設定する保存期間グループ数設定処理の流れを示すフローチャートである。図６は、録画用容量と、保存期間グループ数との対応関係を示す図である。図６（ａ）は、全記録容量が１ＴＢである場合の対応関係を示し、図６（ｂ）は、全記録容量が５００ＧＢである場合の対応関係を示している。
【０１０６】
ここでは、テレビ１に内蔵された、全記録容量が１ＴＢであるＨＤドライブ１２１に自動録画用容量を割り当てる際に実行される保存期間グループ数設定処理の流れを例に挙げて説明する。
【０１０７】
図５に示すように、ＣＰＵ１１８は、テレビ１に内蔵されたＨＤドライブ１２１の全記録容量を示す情報を取得する（ステップＳ１）。
【０１０８】
ＣＰＵ１１８は、ＨＤドライブ１２１の全記録容量を示す情報を取得すると、全記録容量が１ＴＢである内蔵ＨＤドライブに割り当てるべき自動録画用容量を指示するユーザ操作を受け付ける（ステップＳ２）。例えば、内蔵ＨＤドライブに割り当てるべき自動録画用容量を設定するＧＵＩ画面などにおいて、ユーザが、全記録容量の何割の容量、又は、何れのサイズの容量を自動録画用容量に割り当てるかを設定すればよい。
【０１０９】
ＣＰＵ１１８は、ＨＤドライブ１２１に自動録画用容量として割り当てられた容量が、全記録容量のうちの何割であるかを判定する（ステップＳ３）。
【０１１０】
自動録画用容量として割り当てられた容量が、全記録容量のうち、２割未満である場合（ステップＳ３において２割未満）、ＣＰＵ１１８は、保存期間グループ数を３つに設定する（ステップＳ４）。
【０１１１】
自動録画用容量として割り当てられた容量が、全記録容量のうち、２割以上〜４割未満である場合（ステップＳ３において２割以上４割未満）、ＣＰＵ１１８は、保存期間グループ数を４つに設定する（ステップＳ５）。
【０１１２】
自動録画用容量として割り当てられた容量が、全記録容量のうち、４割以上である場合（ステップＳ３において４割以上）、ＣＰＵ１１８は、保存期間グループ数を５つに設定する（ステップＳ５）。
【０１１３】
全記録容量に対する自動録画用容量の割合に応じて設定される保存期間グループ数の一例を、図６（ａ）に示す。
【０１１４】
図６（ａ）に示すように、全記録容量が１ＴＢであり、自動録画用容量が１００ＧＢである場合、全記録容量に対する自動録画用容量の割合が２割未満であるので、保存期間グループ数は３つに設定される。また、自動録画用容量が３００ＧＢである場合、全記録容量に対する自動録画用容量の割合が２割以上〜４割未満であるので、保存期間グループ数は４つに設定され、自動録画用容量が５００ＧＢである場合、全記録容量に対する自動録画用容量の割合が４割以上であるので、保存期間グループ数は５つに設定される。
【０１１５】
なお、ステップＳ３〜Ｓ５において、全記録容量に対する自動録画用容量の割合に応じて保存期間グループ数を３〜５つに設定する構成を示したが、本発明はこれに限定されるものではない。例えば、全記録容量に対する自動録画用容量の割合が２割未満である場合に保存期間グループ数を２つに設定し、２割以上〜４割未満である場合に保存期間グループ数を３つに設定し、４割以上である場合に保存期間グループ数を４つに設定してもよい。この場合における、全記録容量に対する自動録画用容量の割合に応じて設定される保存期間グループ数の一例を、図６（ｂ）に示す。
【０１１６】
図６（ｂ）に示すように、全記録容量が５００ＧＢであり、自動録画用容量が５０ＧＢである場合、全記録容量に対する自動録画用容量の割合が２割未満であるので、保存期間グループ数は２つに設定される。また、自動録画用容量が１００ＧＢである場合、全記録容量に対する自動録画用容量の割合が２割以上〜４割未満である場合、保存期間グループ数は３つに設定され、自動録画用容量が２００ＧＢである場合、全記録容量に対する自動録画用容量の割合が４割以上である場合、保存期間グループ数は５つに設定される。
【０１１７】
なお、ステップＳ２において、ユーザ操作を受け付けることによって内蔵ＨＤドライブに割り当てるべき自動録画用容量を設定する構成を例に挙げて説明したが、本発明はこれに限定されるものではない。例えば、内蔵ＨＤドライブに割り当てるべき自動録画用容量が予め定められている構成を採用してもよい。
【０１１８】
また、保存期間グループ数設定処理において、ステップＳ２の替わりに、全記録容量の何％の容量、又は、何れの大きさの容量を自動録画用容量に割り当てるかを、ユーザが直接入力可能な構成を採用してもよい。
【０１１９】
（保存期間の表示例）
次に、自動録画された放送番組のタイトルと、自動削除日時、又は、自動削除日時までの残り期間とを関連付けて表示する表示方法について、説明する。なお、本実施形態では、自動削除日時までの残り期間を、自動削除日時までの残り期間が何れのグループに属するかを示す保存期間グループによって表示する表示方法を例に挙げて説明するものとする。
【０１２０】
まず、自動録画された放送番組のタイトルと、保存期間グループとを関連付けて表示する表示方法について、図面に基づいて説明する。ここでは、図７に基づいて、自動録画リストに含まれる各タイトルの保存期間グループを、そのタイトルが選択されているときに、そのタイトルから引き出された吹き出しの中に表示する表示方法について説明する。図７は、本実施形態に係るテレビ１が表示する録画リスト画面の一例を示す図である。
【０１２１】
図７に示すように、録画リスト画面は、自動録画リスト又は手動録画リストを表示するリスト表示領域２１、リスト表示領域２１に表示するリストを自動録画リストに切り替える自動録画タブ２２、リスト表示領域２１に表示するリストを手動録画リストに切り替える手動録画タブ２３、及び、自動録画用容量の空きを表示する容量表示領域２４を含んで構成されている。
【０１２２】
テレビ１は、録画リスト画面において、リスト表示領域２１に表示される自動録画リストの中から、ある放送番組のタイトルが選択されると、その放送番組の保存期間を、選択されたタイトルと関連付けて表示する。
【０１２３】
図７に示すように、リスト表示領域２１に表示されている自動録画リストから「番組ＡＡＡ」というタイトルの放送番組がユーザによって選択された場合、選択された放送番組に、その放送番組の保存期間グループを示すメッセージ（図７の例では「３日以上自動削除されません。」）を関連付けて表示する。このメッセージは、例えば、図７に示すように、放送番組のタイトル「番組ＡＡＡ」から引き出された吹き出しとして表示される。また、自動録画リストから、保存期間が１日以内である保存期間グループに属する「番組ＬＬＬ」というタイトルの放送番組がユーザによって選択された場合、選択された放送番組に関連付けて「１日以内に自動削除されます。」というメッセージが表示される。
【０１２４】
テレビ１は、容量表示領域２４に、例えば、放送番組をあと何分録画可能であるかを表示することによって自動録画用容量の空きを示してもよいし、放送番組をあと何Ｂ（Byte）録画可能であるかを表示することによって自動録画用容量の空きを示してもよい。
【０１２５】
なお、テレビ１は、リスト表示領域に表示される自動録画リストの中から放送番組を選択することを指示するユーザ操作を受け付けると、ＬＣＤ１１０に表示されている画面を、録画リスト画面から、図８に示すような自動削除日時を変更する変更画面に遷移させる。図８は、自動削除日時を変更する変更画面の一例を示す図である。
【０１２６】
テレビ１は、変更画面において自動削除日時を変更することを指示するユーザ操作を受け付ける。なお、自動削除日時の変更は、例えば、図８に示すように、何日まで延長するか、何日間延長するか、再生を行うまで自動削除しないこと、ダビングを行うまで自動削除しないこと、などを指示するユーザ操作を受け付けることによって行えばよいが、これに限定されるものではない。これによって、ユーザは、放送番組に設定されている自動削除日時を容易に変更することができる。
【０１２７】
また、変更画面において、タイトルが「番組ＬＬＬ」である放送番組の自動削除日時を変更した後の録画リスト画面を図９に示す。図９は、放送番組の自動削除日時を変更した後の録画リスト画面の一例を示す図である。
【０１２８】
図８に示す変更画面において、タイトルが「番組ＬＬＬ」である放送番組の自動削除日時が、例えば、２０１０年６月２７日から２０１０年７月２日に変更された場合、自動削除日時は７日間延長されたことになる。すなわち、タイトルが「番組ＬＬＬ」である放送番組は、保存期間が３日以上である保存期間グループに属することになる。したがって、図９に示す自動削除日時を変更した後の録画リスト画面において、タイトルが「番組ＬＬＬ」である放送番組が選択されると、選択された放送番組に関連付けて「３日以上自動削除されません。」というメッセージが表示されることになる。
【０１２９】
また、テレビ１は、自動削除日時を変更する替わりに、ＨＤドライブ１２１において放送番組を記録しているディレクトリを、自動録画用ディレクトリから、手動録画用ディレクトリに移動することによって、放送番組を自動削除の対象から外すこともできる。手動録画用ディレクトリに記録されている放送番組は、ユーザが手動で削除を行わない限り削除されることがないため、ユーザが意図しないタイミングで自動削除されることを防ぐことができる。
【０１３０】
なお、図７において、新しく自動録画された放送番組のタイトルから順に放送番組のタイトルを表示する録画リスト画面を例に挙げて説明したが、録画リスト画面はこれに限定されるものではない。例えば、録画リスト画面は、自動削除日時までの保存期間が短い放送番組のタイトルから順に表示してもよい。
【０１３１】
なお、本実施形態では、選択されたタイトルから引き出された吹き出しに、保存期間グループを表示する構成を例に挙げて説明したが、本発明はこれに限定されるものではない。例えば、選択されたタイトルから引き出された吹き出しに、自動削除日時までの期間を表示してもよい。自動削除日時までの期間が７日である場合には「７日後に自動削除されます。」などと表示すればよく、自動削除日時までの期間が１日である場合には「１日後に自動削除されます。」などと表示すればよい。また、自動削除日時までの期間が１日未満である場合には、さらに詳細な期間を表示してもよい。例えば、自動削除日時までの期間が１時間未満である場合には「１時間以内に自動削除されます。」などと表示すればよく、自動削除日時までの期間が１時間以上２時間未満である場合には「２時間以内に自動削除されます。」などと表示すればよい。
【０１３２】
＜変形例＞
録画リスト画面の他の一例について、図１０を参照して説明する。図１０は、録画リスト画面の他の一例を示す図である。
【０１３３】
図１０に示す録画リスト画面は、保存期間グループの表示方法が異なる以外は、図７に示す録画リスト画面と同一の構成である。
【０１３４】
図７に示す録画リスト画面は、自動録画リストに含まれる各タイトルの保存期間グループを、そのタイトルが選択されているときに、そのタイトルから引き出された吹き出しの中に表示する。一方、図１０に示す録画リスト画面は、自動録画リストに含まれる各タイトルの保存期間グループを示す文字列を、常に、そのタイトルと同一行内に表示する。
【０１３５】
保存期間グループとして表示される内容は、そのタイトルが何れの保存期間グループに属しているかを示す文字列である。図１０では、保存期間が１日未満であるグループに属するタイトルについては文字列「１日以内」を、保存期間が１日以上３日未満であるグループに属するタイトルについては文字列「３日以内」を、保存期間が３日以上であるグループに属するタイトルについては文字列「３日以上」を表示している。
【０１３６】
また、リスト表示領域２１に表示される自動録画リストのタイトルのそれぞれが、保存期間グループの何れに属しているかを、文字列に加えて文字列を囲む枠内に色をつけることによって示してもよい。
【０１３７】
各タイトルがそれぞれ保存期間グループの何れのグループに属しているかを示す文字列に加えて文字列を囲む枠内に色をつけることよって示す場合、例えば、保存期間が１日未満であるグループは赤色、１日以上３日未満であるグループは黄色、３日以上であるグループは青色、というように表示することができる。なお、それぞれのグループを示す色は、これに限定されるものではなく、例えば、ユーザが適宜設定可能な構成を採用してもよい。
【０１３８】
なお、本実施形態では、保存期間グループを３つに分ける場合を例に挙げて説明したが、本発明はこれに限定されるものではなく、例えば、保存期間グループを４つに分ける構成を採用してもよい。
【０１３９】
保存期間グループを４つに分ける場合に、そのタイトルが何れの保存期間グループに属しているかを示す文字列として、例えば、そのタイトルが属する保存期間グループが、１日未満であるタイトルには「１日以内」を、１日以上２日未満であるタイトルには「２日以内」を、２日以上３日未満であるタイトルには「３日以内」を、３日以上であるタイトルについては文字列「３日以上」を表示すればよいが、これに限定されるものではない。
【０１４０】
また、文字列に加えて文字列を囲む枠内に色をつけることよって示す場合、例えば、そのタイトルが属する保存期間グループが１日未満であるタイトルは赤色、１日以上２日未満であるタイトルは黄色、２日以上３日未満であるタイトルは青色、３日以上であるタイトは緑色、というように分けて表示すればよいが、これに限定されるものではない。
【０１４１】
＜変形例２＞
録画リスト画面の他の一例について、図１１を参照して説明する。図１１は、録画リスト画面の他の一例を示す図である。
【０１４２】
図１１に示す録画リスト画面は、保存期間グループの表示方法が異なる以外は、図７に示す録画リスト画面と同一の構成である。図１１に示す録画リスト画面は、自動録画リストに含まれる各タイトルの保存期間グループを示すアイコンを、常に、そのタイトルと同一行内に表示する。
【０１４３】
図１１において、保存期間グループとして表示される内容は、そのタイトルが何れの保存期間グループに属しているかを示す色の付いたアイコンである。図１１では、保存期間が１日未満であるグループに属するタイトルについては赤色のアイコンを、保存期間が１日以上３日未満であるグループに属するタイトルについては黄色のアイコンを、保存期間が３日以上であるグループに属するタイトルについては青色のアイコンを表示している。
【０１４４】
なお、図１１に示すように、色の付いたアイコンによって自動録画リストに含まれる各タイトルの保存期間グループを示す録画リスト画面は、保存期間グループを自動削除日時に基づいて分ける構成以外にも、例えば、自動録画用容量の空き容量を確保するために再設定された自動削除日時に基づいて分ける構成にも適用することができる。
【０１４５】
自動録画用容量の空き容量を確保するために自動削除日時の再設定を行う方法としては、例えば、自動録画用容量の空き容量が、予め定められた閾値よりも少なくなった場合を挙げることができる。
【０１４６】
具体的には、削除日時設定部５１は、ＨＤドライブ１２１の自動録画用容量の空き容量と、閾値とを随時比較し、自動録画用容量の空き容量が閾値よりも小さいか否かを随時判定する。削除日時設定部５１は、自動録画用容量の空き容量が閾値よりも小さいと判定した場合、タイトル管理テーブルに記録されている各放送番組のうち、自動削除日時が最も早い日時に設定されている放送番組の自動削除日時を、録画開始時刻が最も早い推奨番組の録画が開始される時刻よりも前に設定する。また、削除日時設定部５１は、自動録画された日時が２番目に古い放送番組の自動削除日時を、録画開始時刻が２番目に早い推奨番組の録画が開始されるよりも前に設定し、自動録画された日時がｎ番目に古い放送番組の自動削除日時を、録画開始時刻がｎ番目に早い推奨番組の録画が開始されるよりも前に設定する。削除日時設定部５１は、ＲＡＭ１１７に格納されているタイトル管理テーブルを、自動削除日時が再設定されたタイトル管理テーブルに更新する。
【０１４７】
なお、自動削除日時が最も早い日時に設定されている放送番組の自動削除日時を、録画開始時刻が最も早い推奨番組の録画が開始されるよりも前に設定する構成を例に挙げて説明したが、本発明はこれに限定されるものではない。例えば、タイトル管理テーブルにおいて、何れのフラグもＯＮに設定されていない放送番組のうち、自動削除日時が最も早い日時に設定されている放送番組の自動削除日時を、録画開始時刻が最も早い推奨番組の録画が開始されるよりも前に設定する構成を採用してもよい。
【０１４８】
なお、自動削除日時の再設定方法は、これに限定されるものではない。例えば、録画開始時刻が最も早い推奨番組のデータサイズと、自動録画用容量の空き容量とを比較し、推奨番組のデータサイズが自動録画用容量の空き容量よりも大きいと判定した場合に自動削除日時の再設定を行う構成を採用してもよい。具体的には、削除日時設定部５１は、録画開始時刻が最も早い推奨番組組のデータサイズが、自動録画用容量の空き容量よりも大きいと判定した場合に、録画開始時刻が最も早い推奨番組の録画が開始されるよりも前に、当該推奨番組を記録することができる容量が確保されるまで、自動削除日時が最も早い日時に設定されている放送番組から順に削除されるように自動録画日時を再設定する方法を採用してもよい。
【０１４９】
また、自動削除日時の再設定を行う方法として、例えば、何れの推奨番組を録画したときに自動録画用容量の空き容量が閾値よりも小さくなるかを判定し、その推奨番組の録画が開始されるよりも前に自動録画日時を再設定する方法を挙げることもできる。録画が行われるとによって自動録画用容量の空き容量が閾値よりも小さくなる推奨番組を、閾推奨番組とも呼称する。
【０１５０】
削除日時設定部５１は、現在の自動録画用容量の空き容量と、推奨番組テーブルとを参照し、何れの推奨番組の録画を行うことによって自動録画用容量の空き容量が閾値よりも小さくなるかを随時判定する。削除日時設定部５１は、タイトル管理テーブルに記録されている各放送番組に対応する自動削除日時のうち、自動録画された日時が古い放送番組から順に、閾推奨番組の録画が開始されるよりも前に削除されるように再設定する。
【０１５１】
具体的には削除日時設定部５１は、タイトル管理テーブルに記録されている各放送番組に対応する自動削除日時のうち、自動削除日時が最も早い日時に設定されている放送番組の自動削除日時を、閾推奨番組の録画が開始されるよりも前に設定する。また、削除日時設定部５１は、自動録画日時が２番目に古い放送番組の自動削除日時を、閾推奨番組の次に録画される推奨番組の録画が開始されるよりも前に設定し、自動録画日時がｎ番目に古い放送番組の自動削除日時を、閾推奨番組からｎ番目に録画される推奨番組の録画が開始されるよりも前に設定する。なお、自動削除日時の再設定方法はこれに限定されるものではない。削除日時設定部５１は、ＲＡＭ１１７に格納されているタイトル管理テーブルを、自動削除日時が再設定されたタイトル管理テーブルに更新する。
【０１５２】
なお、自動削除日時が最も早い日時に設定されている放送番組の自動削除日時を、閾推奨番組の録画が開始されるよりも前に設定する構成を例に挙げて説明したが、本発明はこれに限定されるものではない。例えば、タイトル管理テーブルにおいて、何れのフラグもＯＮに設定されていない放送番組のうち、自動削除日時が最も早い日時に設定されている放送番組の自動削除日時を、閾推奨番組の録画が開始されるよりも前に設定する構成を採用してもよい。
【０１５３】
空き容量を確保するために再設定された自動削除日時に基づいて保存期間グループを分ける構成は、上述したように、自動録画された放送番組が多くなることによって自動録画用容量の空き容量が少なくなり、予め設定された自動削除日時まで放送番組を保存しておくことが困難になる場合などに有効である。これによって、自動録画用容量の空き容量が少なくなり、自動録画が行われなくなることを防ぐことができる。
【０１５４】
保存期間グループの分け方としては、例えば、当日に行われる推奨番組の自動録画の前に自動削除日時が再設定された放送番組、次の日に行われる推奨番組の自動録画の前に自動削除日時が再設定された放送番組、及び、２日後に行われる推奨番組の自動録画の前まで自動削除が再設定されていない放送番組の３つのグループに分ける構成を挙げることができるが、これに限定されるものではない。
【０１５５】
また、自動削除日時の再設定は、随時行ってもよいし、例えば１０分毎など定期的に行ってもよいし、推奨番組の録画が終了する度に行ってもよい。もちろん、自動削除実行後や自動録画用容量の変更時に実行するなどの方法もある。
【０１５６】
また、各タイトルがそれぞれ保存期間グループの何れのグループに属しているかを色によって示す場合、例えば、次の自動録画（又は当日に自動録画）が行われる時点で自動削除の対象となる可能性のあるグループは赤色、次の日に自動録画が行われる時点で自動削除の対象となる可能性のあるグループは黄色、２日後まで自動削除の対象となる可能性の低いグループは青色、というように分けることができる。なお、それぞれのグループを示す色は、これに限定されるものではなく、例えば、ユーザが適宜設定可能な構成を採用してもよい。
【０１５７】
＜変形例３＞
録画リスト画面の他の一例について、図１２を参照して説明する。
【０１５８】
図７、図１０及び図１１に示す録画リスト画面は、自動録画リストに含まれる各タイトルの保存期間グループを、そのタイトルと１対１の関係で表示する。一方、図１２に示す録画リスト画面は、各保存期間グループに属するタイトルを一覧で表示する。
【０１５９】
図１２は、保存期間グループと放送番組のタイトルとを円グラフで関連付けて表示する表示画面の一例を示す図である。図１２（ａ）は、Ａグループが全体の約１割である場合の円グラフを示し、図１２（ｂ）は、Ａグループが全体の約４割を占める場合の円グラフを示し、図１２（ｃ）は、Ａグループが全体の約８割を占める場合の円グラフを示している。なお、本変形例では、現在時刻からタイトルに関連付けられている自動削除日時までの残り期間が（Ａ）１日未満であるグループ、（Ｂ）１日以上から３日未満であるグループ、及び、（Ｃ）３日以上であるグループの３つのグループに分けた場合を例に挙げて説明する。
【０１６０】
また、各グループを色分けした円グラフによって、保存期間グループに自動録画された放送番組のタイトルを関連付けて表示してもよい。例えば、Ａグループは赤色、Ｂグループは黄色、Ｃグループは青いというように分けることができるが、これに限定されるものではない。
【０１６１】
図１２（ａ）に示すように、円グラフから、全体の約１割であるＡグループを選択すると、Ａグループに属するタイトルが一覧になって表示される。また、図１３（ａ）に示すように、Ａグループに属するタイトルが３タイトルであるときには、例えば、タイトルを一覧表示すると共に、「１日以内に３番組が自動削除されます。」などのメッセージを表示してもよい。
【０１６２】
また、図１２（ｂ）及び（ｃ）には、円グラフから、全体の約４割を占めるＡグループを選択した場合、全体の約８割を占めるＡグループを選択した場合に、Ａグループに属するタイトルが一覧表示された表示画面を示す。図１２（ｂ）に示すように、Ａグループに属するタイトルが４５タイトルであるときには、例えば、タイトルを一覧表示すると共に、「１日以内に４５番組が自動削除されます。」などのメッセージを表示してもよい。また、図１２（ｃ）に示すように、Ａグループに属するタイトルが８３タイトルであるときには、「１日以内に８３番組が自動削除されます。」などのメッセージを表示してもよい。
【０１６３】
また、テレビ１は、円グラフの何れかのグループを選択したときに一覧表示されるタイトルの何れかを選択するユーザ操作を受け付けることによって、ＬＣＤ１００に表示されている画面を、図８に示すような自動削除日時を変更する変更画面に遷移させる。また、テレビ１は、変更画面において自動削除日時を変更することを指示するユーザ操作を受け付ける。なお、自動削除日時の変更は、例えば、何日まで延長するか、何日間延長するか、再生するまで自動削除しない設定、ダビングするまで自動削除しない設定、などを指示するユーザ操作を受け付けることによって変更すればよいが、これに限定されるものではない。
【０１６４】
また、テレビ１は、自動削除日時を変更することを指示するユーザ操作の替わりに、タイトルの管理リストを、自動削除が行われる自動録画リストから、自動削除が行われない手動録画リストに変更することによって、自動削除の対象から外すユーザ操作を受け付けても良い。手動録画リストにおいて管理される放送番組は、ユーザが手動で削除を行わない限り、削除されることはない。
【０１６５】
図１２（ａ）〜（ｃ）に示すように、各保存期間グループに属する放送番組が、自動削除日時が設定されている全ての放送番組のうちの何割を占めるかを円グラフで示すことによって、ユーザは、いつ、どれくらいの放送番組が自動削除される対象となっているかを、容易に把握することができる。
【０１６６】
＜変形例４＞
図７、図１０〜図１２では、録画リスト画面において、自動録画された放送番組のタイトルと、保存期間グループとを関連付けて表示する構成について説明したが、本発明はこれに限定されるものではない。例えば、録画リスト画面において、自動録画された放送番組のタイトルと自動削除日時とを関連付けて表示する構成を採用してもよい。
【０１６７】
自動削除日と放送番組のタイトルとを関連付けて表示する録画リスト画面の一例として、カレンダーで表示した自動削除日に放送番組のタイトルを関連付けて表示した表示画面の一例を、図１３を参照して説明する。図１３は、自動削除日と放送番組のタイトルとをカレンダーで関連付けた表示画面の一例を示す図である。図１３（ａ）は、自動削除日時が７月６日である放送番組のタイトルを一覧表示した表示画面の一例を示し、図１３（ｂ）は、自動削除日時が７月９日である放送番組のタイトルを一覧表示した表示画面の一例を示している。
【０１６８】
図１３（ａ）に示すように、カレンダーにおいて選択された日にちが７月６日である場合に、７月６日が自動削除日時として設定されている放送番組のタイトルを一覧表示する。また、７月６日が自動削除日時として設定されている放送番組のタイトルが４つある場合には、タイトルを一覧表示すると共に、「７月６日（火）は４番組が自動削除される予定です。」などのメッセージを表示してもよい。
【０１６９】
また、図１３（ａ）に示すように、自動削除日時を変更するためのボタン（以降、自動削除日時変更ボタンとも呼称する）を表示してもよい。テレビ１は、自動削除日時変更ボタンを選択することを指示するユーザ操作を受け付けることで、ＬＣＤ１００に表示されている画面を、図８に示すような自動削除日時を変更する変更画面に遷移させる。また、テレビ１は、変更画面において自動削除日時を変更することを指示するユーザ操作を受け付ける。なお、自動削除日時の変更は、例えば、何日まで延長するか、何日間延長するか、再生するまで自動削除しない設定、ダビングするまで自動削除しない設定、などを指示するユーザ操作を受け付けることによって変更すればよいが、これに限定されるものではない。これによって、ユーザは、放送番組に設定されている自動削除日時を容易に変更することができる。
【０１７０】
また、テレビ１は、自動削除日時を変更することを指示するユーザ操作の替わりに、ＨＤドライブ１２１において放送番組を記録しているディレクトリを、自動録画用ディレクトリから手動録画用ディレクトリに変更することによって、自動削除の対象から外すことを指示するユーザ操作を受け付けても良い。
【０１７１】
また、図１３（ｂ）に示すように、カレンダーにおいて選択された日にちが７月９日である場合に、７月９日が自動削除日時として設定されている放送番組のタイトルを一覧表示する。また、７月９日が自動削除日時として設定されている放送番組のタイトルが２つある場合には、タイトルを一覧表示すると共に、「７月９日（金）は２番組が自動削除される予定です。」などのメッセージを表示してもよい。
【０１７２】
なお、図７（ａ）及び（ｂ）に示すように、カレンダーにおいて選択された日にちが自動削除日時として設定されている放送番組のタイトルと共に、放送番組が自動録画された日及び時間を表示する構成を例に挙げて説明しているが、これに限定されるものではない。例えば、放送番組のタイトルと共に、自動削除される時刻など、自動削除日時に関する詳細を表示する構成を採用してもよい。
【０１７３】
選択されたカレンダーの日にちが自動削除日時と一致する放送番組のタイトルを一覧表示することによって、ユーザは、選択した日に自動削除が行われる放送番組を容易に把握することができる。
【０１７４】
なお、本実施形態において、図４に示すシリーズフラグがＯＮに設定されている放送番組も、他のフラグがＯＮに設定されている放送番組と同様に保存期間グループを設定し、ユーザに自動削除日時までの期間を提示する構成を例に挙げて説明したが、これに限定されるものではない。例えば、シリーズフラグがＯＮに設定されている放送番組は、当該シリーズの最終回が放送されるまで、自動削除日時を設定せず、自動削除の対象としない構成を採用してもよい。また、テレビ１は、シリーズフラグがＯＮに設定されている放送番組を、ＨＤドライブ１２１において記録しているディレクトリを自動録画用ディレクトリから手動録画用ディレクトリに変更することによって、自動削除の対象から外してもよい。これによって、シリーズを通して自動録画されている放送番組を、他の放送番組よりも優先して保護することができる。
【０１７５】
また、シリーズを通して自動録画されている放送番組が最終回まで全て再生された場合には、シリーズフラグをＯＦＦに設定した上で、自動削除日時を設定して自動削除の対象とすればよい。また、シリーズを通して自動録画されている放送番組が手動録画用ディレクトリに記録されている場合、シリーズの最終回まで全て再生された時点で、ディレクトリを手動録画用ディレクトリから自動録画用ディレクトリに変更することによって、再び自動削除の対象とすればよい。
【０１７６】
また、特定の放送番組を録画及び再生した回数の合計が所定の回数以上である場合に、優先的に保護するべき放送番組であると判定し、自動削除の対象としない、すなわち、自動削除日時を設定しない構成を採用してもよい。これによって、ユーザの好みに特に合っている放送番組を、他の放送番組よりも優先して保護することができる。
【０１７７】
なお、図４に示す未視聴フラグがＯＮに設定されている放送番組も、他のフラグがＯＮに設定されている放送番組と同様に保存期間グループを設定し、ユーザに自動削除日時までの期間を提示する構成を例に挙げて説明したが、これに限定されるものではない。例えば、未使用フラグがＯＦＦに設定されるまで、すなわち、再生が行われるまで自動削除の対象としない構成を採用してもよい。これによって、放送番組が自動録画されたまま一度も再生されることなく、自動削除されてしまうことを防ぐことができる。
【０１７８】
なお、図４に示す未視聴フラグ、自動削除日時更新フラグ、及び、シリーズフラグの何れもＯＮに設定されていない放送番組は自動削除してもよいとみなし、自動削除日時に達した時点で自動削除を行う構成を例に挙げて説明したが、これに限定されるものではない。例えば、未視聴フラグ、自動削除日時更新フラグ、及び、シリーズフラグの少なくとも何れかのフラグがＯＮに設定されている放送番組が自動削除日時に達した場合、当該放送番組の替わりに何れのフラグもＯＮに設定されていない放送番組を優先的に自動削除してもよい。このとき、優先的に自動削除される放送番組は、自動削除日時に達していなくてもよい。何れかのフラグがＯＮに設定されている放送番組の自動削除日時は、優先的に自動削除された放送番組の自動削除日時まで延長するように再設定を行ってもよい。
【０１７９】
また、未視聴フラグがＯＮに設定されている放送番組のうち、特に優先的に自動削除の対象から外したい放送番組については、少なくとも一度再生されるまでは自動削除日時が設定されないようにする再生予定フラグ設定してもよい。再生予定フラグは、ユーザ操作に基づいてＯＮに設定され、対応する放送番組が再生された時点でＯＦＦに設定される。また、自動削除日時は、再生予定フラグがＯＮに設定されている場合には設定されず、再生予定フラグがＯＦＦに設定された時点で設定されるようにすればよい。
【０１８０】
なお、視聴予定フラグは、未視聴フラグがＯＦＦに設定されている場合でも、ＯＮに設定可能な構成を採用してもよい。これによって、ユーザは、一度再生を行った放送番組に対応する視聴予定フラグをＯＮに設定することができるため、一度再生して気に入った放送番組や、一度再生を行ったユーザとは別のユーザが視聴する予定の放送番組を、自動削除の対象から外すことができる。
【０１８１】
また、視聴予定フラグがＯＮに設定された放送番組が多くなり、自動録画用容量の空きが少なくなった場合には、視聴予定フラグがＯＮに設定されている放送番組のうち、自動録画された日時が古いものから順に自動削除を行ってもよいし、古いものから順に自動録画リストから手動録画リストに移動して管理してもよい。
【０１８２】
（プログラム、記憶媒体）
テレビ１の各ブロックは、集積回路（ＩＣチップ）上に形成された論理回路によってハードウェア的に実現してもよいし、ＣＰＵ（Central Processing Unit）を用いてソフトウェア的に実現してもよい。
【０１８３】
後者の場合、テレビ１は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアであるテレビ１の制御プログラムのプログラムコード（実行形式プログラム、中間コードプログラム、ソースプログラム）をコンピュータで読み取り可能に記録した記録媒体を、テレビ１に供給し、そのコンピュータ（またはＣＰＵやＭＰＵ）が記録媒体に記録されているプログラムコードを読み出し実行することによっても、達成可能である。
【０１８４】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ／フラッシュＲＯＭ等の半導体メモリ類、あるいはＰＬＤ（Programmable logic device）やＦＰＧＡ（Field Programmable Gate Array）等の論理回路類などを用いることができる。
【０１８５】
また、上記プログラムコードは、通信ネットワークを介してテレビ１に供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。
【０１８６】
なお、ここで開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【産業上の利用可能性】
【０１８７】
本発明は、例えば、番組の録画機能を持つデジタル放送受信装置等のテレビジョン受像機に好適に適用することができる。
【符号の説明】
【０１８８】
１        テレビ
２        ＨＤドライブ（記憶部）
２１      リスト表示領域
２２      自動録画タブ
２３      手動録画タブ
２４      容量表示領域
３０      電子番組表
３１      放送番組欄
３２      推奨番組欄
５１      削除日時設定部（設定手段）
５２      ＵＩ制御部（表示手段）
５３      タイマ
５４      自動削除制御部（削除手段）
１０１    外部入力端子
１０２    地上デジタル放送チューナ
１０３    衛星放送チューナ
１０４    録画再生部
１０５    ＢＤドライブ（記憶部）
１０６    映像セレクタ
１０７    映像処理回路
１０８    ＯＳＤ生成部
１０９    ＬＣＤコントローラ
１１０    ＬＣＤ（表示部）
１１１    音声セレクタ
１１２    音声処理回路
１１３    アンプ
１１４    スピーカ
１１５    ＵＳＢインターフェース
１１６    ＲＯＭ
１１７    ＲＡＭ
１１８    ＣＰＵ（録画手段）
１１９    赤外線受光部
１２０    カメラ
１２１    ＨＤドライブ（記憶部）
【図１】
2012074853.tif 000004
【図２】
2012074853.tif 000005
【図３】
2012074853.tif 000006
【図４】
2012074853.tif 000007
【図５】
2012074853.tif 000008
【図６】
2012074853.tif 000009
【図７】
2012074853.tif 000010
【図８】
2012074853.tif 000011
【図９】
2012074853.tif 000012
【図１０】
2012074853.tif 000013
【図１１】
2012074853.tif 000014
【図１２】
2012074853.tif 000015
【図１３】
2012074853.tif 000016